【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
オーディオ、ビデオ、及びコンピュータグラフィックスコンテンツの少なくとも１つをレンダリングする方法であって、前記コンテンツは、ブロードキャストサービス提供デバイスによって配信され、かつ前記コンテンツの異なるパースペクティブに関連する複数のストリームの中に含まれ、当該方法は、
入出力デバイスによって、前記コンテンツに対するユーザリクエストを受信するステップであって、前記ユーザリクエストは、現在のパースペクティブとは異なる新たなパースペクティブを指定している、ステップと、
前記ユーザリクエストに応答して、リクエストされた前記コンテンツをレンダリングするための前記入出力デバイスの処理及び記憶リソースの少なくとも１つの部分を割り当てるステップであって、割り当てられた前記部分は、前記入出力デバイスの残りのリソースが、少なくとも前記入出力デバイスの容量が後のユーザリクエストを受信し、かつ所定のレスポンスタイムでそれに応答するのを維持するために十分であるように、選択される、ステップと、
所定のレンダリング品質で、及び／又は所定のレンダリング時間以内に、リクエストされた前記コンテンツをレンダリングするために必要とされるリソースの量が、前記割り当てられたリソースを超えることを判断し、かつ、前記所定のレンダリング品質及び前記所定のレンダリング時間の少なくとも１つが満たされるために必要とされるプリレンダリングの程度を決定するステップであって、前記プリレンダリングは、前記現在のパースペクティブと前記新たなパースペクティブとの間の変化のシーケンスを生成するためのブレンディングプロセスの少なくとも一部を含む、ステップと、
必要とされるプリレンダリングの前記決定された程度に従って、前記サービス提供デバイス上で、前記コンテンツをプリレンダリングし、前記サービス提供デバイスから前記入出力デバイスに、前記プリレンダリングされたコンテンツを配信するステップと、
前記入出力デバイスにおいて前記コンテンツの前記レンダリングを完了するために、前記割り当てられたリソースを使用するステップと、
を有する方法。
【請求項２】
前記入出力デバイスは、異なるブロードキャストストリームの中で、前記現在のパースペクティブに従ってコンテンツを受信し、前記新たなパースペクティブに従ってコンテンツを受信する、請求項１記載の方法。
【請求項３】
所定のレンダリング品質で、及び／又は前記所定のレンダリング時間以内に、リクエストされた前記コンテンツをレンダリングするために必要とされるリソースの量が、前記割り当てられたリソースを超えることを判断し、かつ、プリレンダリングの程度を決定することは、サービス提供デバイスで実行され、
当該方法は、前記入出力デバイスから前記サービス提供デバイスに、前記割り当てられたリソースの指示を配信するステップ、
を更に有する請求項１又は２記載の方法。
【請求項４】
所定のレンダリング品質で、及び／又は前記所定のレンダリング時間以内に、リクエストされた前記コンテンツをレンダリングするために必要とされるリソースの量が、前記割り当てられたリソースを超えることを判断し、かつ、プリレンダリングの程度を決定することは、前記入出力デバイスで実行され、
当該方法は、サービス提供デバイスに、必要とされるプリレンダリングの前記程度の指示を配信するステップ、
を更に有する請求項１又は２記載の方法。
【請求項５】
前記所定のレンダリング品質で、及び前記所定のレンダリング時間以内に、リクエストされた前記コンテンツをレンダリングするために必要とされるリソースの前記量が、前記割り当てられたリソースを超えない場合、前記サービス提供デバイスは、レンダリングされていない前記コンテンツを配信する、
請求項１ないし４のうちいずれか１項記載の方法。
【請求項６】
前記新たなパースペクティブは、前記コンテンツの前記現在のパースペクティブの精細な部分である、請求項１ないし５のうちいずれか１項記載の方法。
【請求項７】
当該方法は、前記コンテンツに対するユーザリクエストを受信する前に、
前記入出力デバイスにおいて、維持されたサービス品質を持つサービスに対するユーザリクエストを受信するステップであって、前記サービス品質は、前記所定の品質で、前記所定のレンダリング時間以内でレンダリングされたコンテンツを保証する、ステップと、
前記入出力デバイスから前記サービス提供デバイスにリクエストされたサービスに対応するサブスクライブリクエストを送信するステップと、
前記リクエストされたサービスをサービス提供デバイスにおいてセットアップするステップと、
コンテンツに対する更なるユーザリクエストを、前記入出力デバイスにおいて受信するステップと、
前記入出力デバイスから前記サービス提供デバイスに、第１のコンテンツリクエストを送信するステップと、
前記サービス提供デバイスから前記入出力デバイスに、前記第１のコンテンツリクエストによりリクエストされた前記コンテンツを提供するステップと、
前記入出力デバイスにおける前記第１のコンテンツリクエストによりリクエストされた前記コンテンツを、レンダリングし、出力するステップであって、前記コンテンツは、前記現在のパースペクティブに従う前記コンテンツである、ステップと、
を更に有する請求項１ないし６のうちいずれか１項記載の方法。
【請求項８】
最終的にレンダリングされたコンテンツは、前記現在のパースペクティブに従った部分、前記変化のシーケンスに従った部分、及び前記新たなパースペクティブに従った部分を含む、
請求項１ないし７のうちいずれか１項記載の方法。
【請求項９】
レンダリングされたオーディオ、レンダリングされたビデオ、及びレンダリングされたコンピュータグラフィックスコンテンツの少なくとも１つを出力するための入出力デバイスであって、前記コンテンツは、ブロードキャストサービス提供デバイスによって配信され、かつ前記コンテンツの異なるパースペクティブに関連する複数のストリームの中に含まれ、当該入出力デバイスは、
前記コンテンツのユーザリクエストを受信するための手段であって、前記ユーザリクエストは、現在のパースペクティブとは異なる新たなパースペクティブを指定している、手段と、
処理及び記憶するリソースと、
処理及び記憶するリソースの少なくとも１つの一部を割り当てるための手段であって、前記割り当てるための前記手段は、前記割り当てられた部分を選択するために適合しており、これによって、前記入出力デバイスの残りのリソースは、ユーザ入力を受信する前記入出力デバイスの容量を維持し、かつ所定のレスポンスタイムでそれに応答するために少なくとも十分である、手段と、
前記割り当てられたリソースの指示を、前記サービス提供デバイスに配信するための手段と、
前記サービス提供デバイスから、前記コンテンツを受信するための手段であって、前記リクエストされたコンテンツを、所定のレンダリング時間及び／又は所定のレンダリング品質でレンダリングするために必要とされるリソースの量が、前記割り当てられたリソースを超える場合、前記コンテンツは、プリレンダリングされて受信され、前記プリレンダリングは、前記現在のパースペクティブと前記新たなパースペクティブとの間の変化のシーケンスを生成するためのブレンディングプロセスの少なくとも一部を含む、手段と、
前記受信したコンテンツのレンダリングを完了するための手段と、
を有する入出力デバイス。
【請求項１０】
前記サービス提供デバイスから、前記コンテンツを受信するための手段は、異なるブロードキャストストリームの中で、前記現在のパースペクティブに従ってコンテンツを受信し、前記新たなパースペクティブに従ってコンテンツを受信する、
請求項９記載の入出力デバイス。
【請求項１１】
プリレンダリングされたオーディオ、プリレンダリングされたビデオ、及びプリレンダリングされたコンピュータグラフィックスコンテンツの少なくとも１つを、前記プリレンダリングされたコンテンツを完了させるために、入出力デバイスに配信するためのサービス提供デバイスであって、
出力のために前記入出力デバイスに割り当てられたリソースの指示を前記入出力デバイスから受信するための手段と、
リクエストされたコンテンツを所定のレンダリングタイム以内に及び／又は所定のレンダリング品質でレンダリングするために必要とされるリソースの量を決定するよう適合した処理手段と、
を有し、
前記処理手段は、必要とされるプリレンダリングの程度を決定するために、前記割り当てられたリソース及び必要とされるリソースの前記決定された量を利用するよう更に適合しており、
当該サービス提供デバイスは、
必要とするプリレンダリングの前記決定された程度に従って、前記コンテンツをプリレンダリングするための手段であって、前記プリレンダリングは、第１のパースペクティブと異なる第２のパースペクティブとの間の変化のシーケンスを生成するためのブレンディングプロセスの少なくとも一部を含む、手段と、
前記入出力デバイスに前記コンテンツを配信するための手段であって、前記所定のレンダリング時間以内に前記リクエストされたコンテンツをレンダリングするために必要とされるリソースの前記量が、前記割り当てられたリソースを超える場合、前記コンテンツは、必要とされるプリレンダリングの前記決定された程度に従ってプリレンダリングされて配信される、手段と、
を有するサービス提供デバイス。
【請求項１２】
所定のサービス品質が維持されるよう、必要とされるプリレンダリングの前記程度が決定され、前記サービス品質は、前記所定の品質で、かつ所定のレンダリング時間以内に、レンダリングされたコンテンツを表示することを保証する、請求項１１記載のサービス提供デバイス。